(57)【要約】【課題】  スタンバイ状態の通信処理部への切替時に、外部装置で回線接続が切断されたと誤って判断することを防止する。【解決手段】  本発明は、冗長システム構成の通信処理部と、外部装置との通信回線を収容していずれかの通信処理部に接続させる回線収容部とを有する通信装置に関する。そして、各通信処理部の異常を監視する異常監視手段と、いずれかの通信処理部の異常を認識した異常監視手段からの通知に基づき、異常が発生した通信処理部に接続されていた通信回線を収容していた回線収容部に対し、その通信回線を、スタンバイ状態の通信処理部に接続させる回線接続先切替制御手段と、通信回線がスタンバイ状態の通信処理部に接続された後、異常が発生した通信処理部に係る情報を、スタンバイ状態の通信処理部に与えて、異常が発生した通信処理部に代わって動作可能な状態に設定させる情報設定手段とを有することを特徴とする。【選択図】      図１
2009225136.tif 000002
【特許請求の範囲】
【請求項１】
冗長システム構成の通信処理部と、外部装置との通信回線を収容し、通信回線をいずれかの上記通信処理部に接続させる回線収容部とを有する通信装置において、
アクティブ状態かつ通信中の上記各通信処理部の異常を監視する異常監視手段と、
上記異常監視手段がいずれかの上記通信処理部の異常を認識したときに、上記異常監視手段からの通知に基づき、異常が発生した上記通信処理部に接続されていた上記通信回線を収容していた上記回線収容部に対し、その通信回線を、スタンバイ状態の上記通信処理部に接続させる回線接続先切替制御手段と、
上記通信回線がスタンバイ状態の上記通信処理部に接続された後に、異常が発生した上記通信処理部に係る情報を、スタンバイ状態の上記通信処理部に与えて、その通信処理部を、異常が発生した上記通信処理部に代わって動作可能な状態に設定させる情報設定手段と
を有することを特徴とする通信装置。
【請求項２】
上記冗長システム構成の通信処理部が、ＩＰインターフェース部、ＶｏＩＰ処理部、ＴＤＭ処理部を有するメディアゲートウェイ部であることを特徴とする請求項１に記載の通信装置。
【請求項３】
当該通信装置がメディアゲートウェイ装置であることを特徴とする請求項１又は２に記載の通信装置。
【請求項４】
冗長システム構成の通信処理部と、外部装置との通信回線を収容し、通信回線をいずれかの上記通信処理部に接続させる回線収容部とを有する通信装置の系切替方法において、
異常監視手段、回線接続先切替制御手段及び情報設定手段を有し、
上記異常監視手段が、アクティブ状態かつ通信中の上記各通信処理部の異常を監視し、
上記回線接続先切替制御手段が、上記異常監視手段がいずれかの上記通信処理部の異常を認識したときに、上記異常監視手段からの通知に基づき、異常が発生した上記通信処理部に接続されていた上記通信回線を収容していた上記回線収容部に対し、その通信回線を、スタンバイ状態の上記通信処理部に接続させ、
上記情報設定手段が、上記通信回線がスタンバイ状態の上記通信処理部に接続された後に、異常が発生した上記通信処理部に係る情報を、スタンバイ状態の上記通信処理部に与えて、その通信処理部を、異常が発生した上記通信処理部に代わって動作可能な状態に設定させる
ことを特徴とする通信装置の系切替方法。
【発明の詳細な説明】
【技術分野】
【０００１】
本発明は通信装置及び通信装置の系切替方法に関し、例えば、ＰＳＴＮ（公衆電話網）とＩＰ網との接続点に設けられるメディアゲートウェイ装置に適用し得るものである。
【背景技術】
【０００２】
通信装置では、実装規格として、Ｃｏｍｐａｃｔ  ＰＣＩ（ｃＰＣＩ）あるいはＡｄｖａｎｃｅｄＴＣＡ（ＡＴＣＡ）などを使用することが多い。これらの規格に従った実装の場合には、センターボードを挟んでフロントボードとリアボードを組み合わせてシステムを構成したり、バックボードにフロントボードを装着してシステムを構成したりする。
【０００３】
例えば、メディアゲートウェイ装置などでは、ｃＰＣＩの実装の場合には、ＰＳＴＮのＴＤＭインターフェース部をリアボードに設置し、リアボードと同一スロットのフロントボードにＩＰインターフェースと音声処理をするＶｏＩＰ処理とＴＤＭ処理の機能を有するメディアゲートウェイ部を設置し、さらに別のフロントボード側スロットにメディアゲートウェイ部の余分なフロントボードを追加して、Ｎ（アクティブ）＋１（スタンバイ）構成を取るＮ＋１冗長システム構成となっている場合が多い（特許文献１、特許文献２、非特許文献１参照）。
【０００４】
一般に、Ｎ＋１冗長システムにおいて、スタンバイボードへの切替の契機は、（１）保守者によるコマンド切替、（２）メディアゲートウェイ部のアクティブボードが故障した場合に自動的に切替る故障切替、の２通りの契機がある。契機は異なるが、スタンバイボードへの切替方法は同様であり、以下、図３を用いて、従来の切替え方法を説明する（特許文献３参照）。
【０００５】
図３において、メディアゲートウェイ部１１０〜１１２が実装され、メディアゲートウェイ部１１０及び１１１がアクティブ状態で、メディアゲートウェイ部１１２が予備であってスタンバイ状態にあるとする。アクティブ状態のメディアゲートウェイ部１１０及び１１１にはそれぞれ、対になるＴＤＭインターフェース部１２０のラインセレクタ（ＳＥＬ）１７０及び１７１が接続されている。ラインセレクタ１７０及び１７１にはそれぞれ、ＰＳＴＮ回線１８０及び１８１が収容される。予備のメディアゲートウェイ部１１２は、メディアゲートウェイ部のラインセレクタ１６２がＴＤＭインターフェース部１２０のラインセレクタ１７０および１７１と接続される。
【０００６】
メディアゲートウェイ部１１０からメディアゲートウェイ部１１２へのアクティブ切替時には、まず、コントローラ部１００は、自己が管理するメディアゲートウェイ部１１０に係る呼情報をメディアゲートウェイ部１１２へ与え、メディアゲートウェイ部１１２にそれら情報を設定したり、それら情報に応じた状態に設定したりし、メディアゲートウェイ部１１２を、メディアゲートウェイ部１１０における処理を継続できる状態に設定する（手順Ｔ１）。このような設定の終了時にコントローラ部１００は、ラインセレクタ１７０上のメディアゲートウェイ部とのラインを、メディアゲートウェイ部１１０からメディアゲートウェイ部１１２へ切替える（手順Ｔ２）。また、メディアゲートウェイ部１１２のラインセレクタ１６２上のＴＤＭインターフェース部１２０のラインセレクタ１７０とのラインに接続する（手順Ｔ３）。これらの処理により、メディアゲートウェイ部１１０からメディアゲートウェイ部１１２へアクティブ系が切替えられたことになる。
【特許文献１】特開２００５−３３３２４３号公報
【特許文献２】特開２００５−５６４６１号公報
【特許文献３】特開２００１−３３９４７０号公報
【非特許文献１】ＡｕｄｉｏＣｏｄｅｓ社の製品「Ｍｅｄｉａｎｔ８０００」（商標）のカタログ
【発明の開示】
【発明が解決しようとする課題】
【０００７】
しかしながら、上述した従来の切替方法においては、切替元のメディアゲートウェイ部１１０に係る呼情報を、切替先のメディアゲートウェイ部１１２へ与えて各種の設定を実行している期間で、切替元のメディアゲートウェイ部１１０が動作していないこともあり得る。例えば、切替元のメディアゲートウェイ部１１０に障害発生したために切替を実行しているような場合には、障害が発生した切替元のメディアゲートウェイ部１１０が動作していないこともある。このような場合においては、切替先のメディアゲートウェイ部１１２へ各種設定を実行している期間で、切替元のメディアゲートウェイ部１１０と対をなしているラインセレクタ１７０に収容されたＰＳＴＮ回線１８０に対し、全てが切断された状態となる。このような切断状態になっている期間では、ＰＳＴＮ回線１８０を介して接続されているＰＳＴＮ回線側の装置での中には、接続先の装置が故障と判断し、通話などのサービスを強制終了させてしまうものも生じている。
【０００８】
そのため、スタンバイ状態の通信処理部への切替時に、外部装置が、接続が切断されたと誤って判断することを防止することができる通信装置及び通信装置の系切替方法が望まれている。
【課題を解決するための手段】
【０００９】
第１の本発明は、冗長システム構成の通信処理部と、外部装置との通信回線を収容し、通信回線をいずれかの上記通信処理部に接続させる回線収容部とを有する通信装置において、（１）アクティブ状態かつ通信中の上記各通信処理部の異常を監視する異常監視手段と、（２）上記異常監視手段がいずれかの上記通信処理部の異常を認識したときに、上記異常監視手段からの通知に基づき、異常が発生した上記通信処理部に接続されていた上記通信回線を収容していた上記回線収容部に対し、その通信回線を、スタンバイ状態の上記通信処理部に接続させる回線接続先切替制御手段と、（３）上記通信回線がスタンバイ状態の上記通信処理部に接続された後に、異常が発生した上記通信処理部に係る情報を、スタンバイ状態の上記通信処理部に与えて、その通信処理部を、異常が発生した上記通信処理部に代わって動作可能な状態に設定させる情報設定手段とを有することを特徴とする。
【００１０】
第２の本発明は、冗長システム構成の通信処理部と、外部装置との通信回線を収容し、通信回線をいずれかの上記通信処理部に接続させる回線収容部とを有する通信装置の系切替方法において、異常監視手段、回線接続先切替制御手段及び情報設定手段を有し、（１）上記異常監視手段が、アクティブ状態かつ通信中の上記各通信処理部の異常を監視し、（２）上記回線接続先切替制御手段が、上記異常監視手段がいずれかの上記通信処理部の異常を認識したときに、上記異常監視手段からの通知に基づき、異常が発生した上記通信処理部に接続されていた上記通信回線を収容していた上記回線収容部に対し、その通信回線を、スタンバイ状態の上記通信処理部に接続させ、（３）上記情報設定手段が、上記通信回線がスタンバイ状態の上記通信処理部に接続された後に、異常が発生した上記通信処理部に係る情報を、スタンバイ状態の上記通信処理部に与えて、その通信処理部を、異常が発生した上記通信処理部に代わって動作可能な状態に設定させることを特徴とする。
【発明の効果】
【００１１】
本発明によれば、スタンバイ状態の通信処理部への切替時に、外部装置が、回線接続が切断されたと誤って判断することを防止することができる。
【発明を実施するための最良の形態】
【００１２】
（Ａ）主たる実施形態
以下、本発明による通信装置及び通信装置の系切替方法の一実施形態を、図面を参照しながら詳述する。この実施形態の通信装置はメディアゲートウェイ装置である。
【００１３】
（Ａ−１）実施形態の構成
図１は、実施形態に係るメディアゲートウェイ装置の構成を示すブロック図である。
【００１４】
図１において、実施形態に係るメディアゲートウェイ装置１は、ＩＰ網２９０及びＰＳＴＮに介在するものである。図１の例では、実施形態に係るメディアゲートウェイ装置１は、２本のＰＳＴＮ回線２８０及び２８１を収容している。またＩＰ網２９０へ接続するためのイーサネット（登録商標）スイッチ２９１を中継している。
【００１５】
実施形態に係るメディアゲートウェイ装置１は、コントローラ部２００、メディアゲートウェイ部２１０〜２１２、およびそれぞれのメディアゲートウェイ部が有するＩＰインターフェース部２３０〜２３２と、ＶｏＩＰ処理部２４０〜２４２と、ＴＤＭ処理部２５０〜２５２、またＶｏＩＰゲートウェイ部２１２が有するセクレタ（ＳＥＬ）２６２、ＴＤＭインターフェース部２２０が有するラインセレクタ（ＳＥＬ）２７０、２７１を備えている。コントローラ部２００は、いずれかのボードに実装されているものである。
【００１６】
メディアゲートウェイ部２１０〜２１２はＮ＋１冗長化システムを構成している（図１はＮが２の場合であるが、Ｎが２に限定されないことは勿論である）。すなわち、メディアゲートウェイ部２１０及び２１１が基本的にはアクティブボードであり、メディアゲートウェイ部２１２が予備ボードであってメディアゲートウェイ部２１０及び２１１が正常な場合にはホットスタンバイ状態になっている。メディアゲートウェイ部２１０〜２１２はそれぞれ、音声信号の符号化及び復号化や、ＩＰパケットの組立及び分解などの処理を行うＶｏＩＰ処理部、ＩＰ網とＶｏＩＰ処理部とのＩＰパケットの送受信を行うＩＰインターフェース部、またＰＳＴＮ回線を終端するＴＤＭ処理部を備えたものである。アクティブなメディアゲートウェイ部２１０及び２１１に係る呼情報（例えば、発着信情報に関する、ＩＰアドレス、ポート番号、コーデック種別、パケット化周期など）はコントローラ部２００によって管理されている。
【００１７】
ラインセレクタ２７０はメディアゲートウェイ部２１０と対をなしているものであり、ラインセレクタ２７１はメディアゲートウェイ部２１１と対をなしているものである。ラインセレクタ２７０、２７１の選択制御によって、予備のメディアゲートウェイ部２１２と接続可能なものである。ラインセレクタ２７０、２７１にはそれぞれ、対応するＰＳＴＮ回線（例えば、光回線）２８０、２８１が接続されている。ラインセレクタ２７０、２７１は、光／電気変換、電気／光変換、アナログ／デジタル変換、デジタル／アナログ変換などの物理層の処理を担当しているものである。
【００１８】
イーサネットスイッチ２９１は、ＩＰ網２９０とのＩＰパケットの送受信を行うための中継装置であり、いずれかのメディアゲートウェイ部２１０〜２１２に出力したり、いずれかのメディアゲートウェイ部２１０〜２１２からのＩＰパケットをＩＰ網２９０に出力したりするメディアゲートウェイ装置のネットワークで設置する装置である。
【００１９】
例えば、メディアゲートウェイ部２１０がアクティブ状態でメディアゲートウェイ部２１０を使用する場合、ＰＳＴＮ回線２８０より入ってきた音声などの信号は、ラインセレクタ２７０、メディアゲートウェイ部２１０、イーサネットスイッチ２０１を経由してＩＰ網２９０に送信され、また、逆方向の信号は、上述のルートの逆ルートを経由してＰＳＴＮ回線２８０に送信される。
【００２０】
コントローラ部２００は、ＩＰ網２９０側及びメディアゲートウェイ部２１０〜２１２側との呼処理を行うものであり、アクティブ状態で通信中のメディアゲートウェイ部（２１０、２１１）に係る呼情報２００ａを管理する。また、各ボード及びボードに搭載される機能部の異常を監視し、及び又は、各ボード及び機能部からの異常通知を受取るものである。また、メディアゲートウェイ部２１０〜２１２に係るＮ＋１冗長システムのアクティブ及びスタンバイ状態を認識、管理し、ラインセレクタ２７０、２７１とメディアゲートウェイ部２１０及び２１２、２１１及び２１２とのライン接続を制御、およびメディアゲートウェイ部が有するラインセレクタ２６２とラインセレクタ２７０および２７１とのライン接続を制御するものである。
【００２１】
（Ａ−２）実施形態の動作
次に、実施形態のメディアゲートウェイ装置１におけるメディアゲートウェイ部の切替動作を、図２を参照しながら詳述する。以下では、メディアゲートウェイ部２１０に故障が発生した場合を説明するが、メディアゲートウェイ部２１１に故障が発生した場合も同様な動作が実行される。
【００２２】
コントローラ部２００がメディアゲートウェイ部２１０のいずれかの機能部の故障を検出し、又は、メディアゲートウェイ部２１０のいずれかの機能部で何らかの異常を検出し、コントローラ部２００へ通知したとする（手順Ｔ１１）。
【００２３】
このとき、コントローラ部２００は、予備のメディアゲートウェイ部２１２がスタンバイ状態にあることを確認し、故障したメディアゲートウェイ部２１０に対応するラインセレクタ２７０への接続ラインをメディアゲートウェイ部２１０からメディアゲートウェイ部２１２への切替えを行う（手順Ｔ１２）。また、ラインセレクタ２７０および２７１と接続する予備のメディアゲートウェイ部２１２が有するラインセレクタ２６２の接続ラインをラインセレクタ２７０へ切替える（手順Ｔ１３）。
【００２４】
その後、コントローラ部２００は、アクティブ状態のメディアゲートウェイ部を切替えるため、メディアゲートウェイ部２１０が処理中であった呼に係る呼情報をメディアゲートウェイ部２１２へ与え、メディアゲートウェイ部２１２を、メディアゲートウェイ部２１０が処理中であった呼を処理できる状態に設定させる（手順Ｔ１４）。
【００２５】
コントローラ部２００は、自己が管理しているアクティブ、スタンバイ情報を、メディアゲートウェイ部２１０についてはアクティブからスタンバイ（又は故障）へ、メディアゲートウェイ部２１２についてはスタンバイからアクティブへ書き換える。
【００２６】
以上のような切替え動作により、メディアゲートウェイ部２１０はスタンバイ状態、メディアゲートウェイ部２１２はアクティブ状態となり、ＰＳＴＮ回線２８０−ラインセレクタ２７０−メディアゲートウェイ部２１２−イーサネットスイッチ２０１−ＩＰ網２９０の経路が確保される。
【００２７】
また、以上のような切替え動作により、メディアゲートウェイ部２１２に呼情報を設定する前の期間では、ＰＳＴＮ回線２８０は、ホットスタンバイ状態にあるメディアゲートウェイ部２１２に接続され、ＰＳＴＮ回線２８０に接続するＰＳＴＮ側の装置（例えば交換機）では、回線の切断、故障という判断を行うことがなく、サービスを継続して実行する。
【００２８】
なお、このような期間や、メディアゲートウェイ部２１２に呼情報を設定している最中では、有効なデータの授受は不可能であるが、ＰＳＴＮ側の装置によって回線の切断や故障と判断されないので、強制的に回線が切断されることはなく、音声通信であれば、切替え完了後に、話者が聞き直すことや、装置が自動的に再送処理を行うことなどにより、切替えに伴う不都合を最小限に抑えることができる。むしろ、ＰＳＴＮ側の装置によって強制的に回線が切断されることの方の不都合が大きい。
【００２９】
正常なメディアゲートウェイ部やその部品との交換により、メディアゲートウェイ部２１０の故障が回復したときには、メディアゲートウェイ部２１０をそのままスタンバイのものとして待機させるようにしても良く、また、メディアゲートウェイ部２１２からメディアゲートウェイ部２１０への切り戻しを行うようにしても良い。切り戻しは、例えば、保守員が図示しない操作入力部を操作してコントローラ部に指示する。この切り戻し時の動作は、切替先のメディアゲートウェイ部に対する呼情報設定動作完了後、ラインセレクタのライン接続切替を行う、従来の切替方式を取る。これは呼情報を設定している最中でも、有効データの授受を可能とするためである。
【００３０】
（Ａ−３）実施形態の効果
上記実施形態によれば、メディアゲートウェイ部の切替え時に、ライン接続の切替えを行った後に、切替先のメディアゲートウェイ部に対する呼情報の設定動作を行うようにしたので、ＰＳＴＮ側の装置が回線の切断や故障と誤判断することはなく、メディアゲートウェイ装置のサービスを継続して提供することができる。
【００３１】
（Ｂ）他の実施形態
上記実施形態では、メディアゲートウェイ装置に本発明を適用した場合を示したが、本発明の用途などはメディアゲートウェイ装置に限定されるものではない。例えば、切替え対象がボード単位でなくても良い。従って、ｃＰＣＩやＡＴＣＡが適用されている装置に限定されない。要は、１＋１、Ｎ＋１又はＭ＋Ｎ冗長システムを有する通信装置であり、切替先の構成部分に情報の設定動作を伴うものであれば、本発明を広く適用可能である。
【図面の簡単な説明】
【００３２】
【図１】実施形態に係るメディアゲートウェイ装置の構成を示すブロック図である。
【図２】実施形態のメディアゲートウェイ装置におけるメディアゲートウェイ部の切替動作を示す説明図である。
【図３】従来のメディアゲートウェイ装置におけるメディアゲートウェイ部の切替動作を示す説明図である。
【符号の説明】
【００３３】
１…メディアゲートウェイ装置、２００…コントローラ部、２０１…イーサネットスイッチ、２１０〜２１２…メディアゲートウェイ部、２２０・・・ＴＤＭインターフェース部、２３０〜２３２・・・ＩＰインターフェース部、２４０〜２４２・・・ＶｏＩＰ処理部、２５０〜２５２・・・ＴＤＭ処理部、２６２、２７０、２７１…ラインセレクタ、２８０、２８１…ＰＳＴＮ回線、２９０…ＩＰ網。
【図１】
2009225136.tif 000003
【図２】
2009225136.tif 000004
【図３】
2009225136.tif 000005